(57)【要約】  【課題】  ＤＶＤビデオレコーディング規格で記録したコンテンツをＤＶＤビデオ規格へ変換する場合、変換に失敗することがある、変換時間が長くかかる、という欠点を有していた。【解決手段】  ＤＶＤビデオレコーディング規格準拠フォーマットのデジタルデータを、ＤＶＤビデオ規格準拠フォーマットに、復号化しないでデジタルデータのまま変換（デジタル変換）する可能性があるか否かを表す情報をホストマイコン５から入力し、ＡＶデータを圧縮符号化してＤＶＤビデオレコーディングフォーマットのデジタルデータを生成すると共に、これをＤＶＤビデオフォーマットのデータにデジタル変換するために必要なデジタル変換情報を出力するエンコーダ４と、ＤＶＤビデオフォーマットへの変換の可能性がある場合、ＤＶＤビデオレコーディングフォーマットでデータを記録する際に、前記デジタル変換情報をビデオオブジェクトユニット内のユーザ領域に記述すると共に、前記デジタル変換情報が含まれていることを示すフラグを管理情報内のユーザ領域に記述する記録・再生部１１とを備えた情報記録装置。【選択図】図１
2005033721.tif 000002
【特許請求の範囲】
【請求項１】
映像の最小記録単位であるビデオオブジェクトユニットが複数集まって構成された第１のフォーマットのデジタルデータを、映像の最小記録単位であるビデオオブジェクトユニットが複数集まって構成された、前記第１のフォーマットとは異なる第２のフォーマットのデジタルデータに、復号化しないでデジタルデータのまま変換する可能性があるか否かを表す情報を入力する入力部と、
ＡＶデータを圧縮符号化して第１のフォーマットのデジタルデータを生成すると共に、第１のフォーマットのデータを第２のフォーマットのデータにデジタルデータのまま変換するために必要なデジタル変換情報を出力するエンコーダと、
前記入力部により入力された情報が、第２のフォーマットへの変換の可能性があることを表している場合、前記第１のフォーマットのデジタルデータを記録媒体に記録する際に、前記デジタル変換情報をビデオオブジェクトユニット内のユーザ領域に記述すると共に、前記デジタル変換情報が第１のフォーマットのデジタルデータに含まれていることを示す第１のフラグを管理情報内のユーザ領域に記述する記録部とを備えたことを特徴とする情報記録装置。
【請求項２】
前記変換の可能性がある場合、前記第１のフォーマットでデジタルデータを記録媒体に記録する際に、
前記記録部が、各ビデオオブジェクトユニットにデジタル変換情報が含まれていることを示す第２のフラグを、デジタル変換情報が含まれるビデオオブジェクトユニット内のユーザ領域に記述する、請求項１記載の情報記録装置。
【請求項３】
ビデオオブジェクトユニット内のユーザ領域に前記第２のフラグがあるか否かを解析するデジタル変換対応情報判定部と、
前記第２のフォーマットのデータにデジタルデータのまま変換する可能性があることを前提に記録された第１のフォーマットのデータの複製を作成する複製部とをさらに備え、
前記複製部により第１のフォーマットのデータの複製を作成する場合、前記デジタル変換対応情報判定部により、ビデオオブジェクトユニット内のユーザ領域に前記第２のフラグがあると判定された場合、前記記録部が、複製先の管理情報内のユーザ領域に、第１のフラグを記述する、請求項２記載の情報記録装置。
【請求項４】
前記第１のフォーマットから前記第２のフォーマットへ変換する際に、前記第１のフラグを参照して、デジタルデータのまま変換することの可否を判断するデジタル変換可否判断部をさらに備えた、請求項１記載の情報記録装置。
【請求項５】
映像の最小記録単位であるビデオオブジェクトユニットが複数集まって構成された第１のフォーマットのデジタルデータを、映像の最小記録単位であるビデオオブジェクトユニットが複数集まって構成された、前記第１のフォーマットとは異なる第２のフォーマットのデジタルデータに、復号化しないでデジタルデータのまま変換する情報記録装置であって、
前記第１のフォーマットのビデオオブジェクトユニットが、第１のタイムスタンプ情報と第１のパックと、第１のフォーマットのデータを第２のフォーマットのデータにデジタルデータのまま変換するために必要なデジタル変換情報とを含み、前記第２のフォーマットのビデオオブジェクトユニットが、第２のタイムスタンプ情報と第２のパックとを含み、
前記情報記録装置は、
前記デジタル変換情報にもとづいて前記第１のタイムスタンプ情報を前記第２のタイムスタンプ情報に変換するタイムスタンプ変換部と、
前記デジタル変換情報にもとづいて前記第１のパックを前記第２のパックへ変換するパック変換部とを備え、
第１のフォーマットから第２のフォーマットへデジタルデータのまま変換する際に、前記タイムスタンプ変換部と前記パック変換部とが並行して動作することを特徴とする情報記録装置。
【請求項６】
前記第１のフォーマットのデータが編集処理され、当該編集処理されたデータを前記第２のフォーマットのデータに変換する場合、当該編集処理されたデータの先頭のビデオオブジェクトユニットからの前方参照を禁止する第３のフラグを当該ビデオオブジェクトユニットへ記述する記録部をさらに備えた、請求項５記載の情報記録装置。
【請求項７】
第１のフォーマットはＤＶＤビデオレコーディング規格準拠のフォーマットであり、第２のフォーマットはＤＶＤビデオ規格準拠のフォーマットである、請求項１〜６のいずれか一項に記載の情報記録装置。
【請求項８】
映像の最小記録単位であるビデオオブジェクトユニットが複数集まって構成された第１のフォーマットのデジタルデータを記録した記録媒体であって、
前記第１のフォーマットを、映像の最小記録単位であるビデオオブジェクトユニットが複数集まって構成された、前記第１のフォーマットとは異なる第２のフォーマットのデジタルデータに、デジタルデータのまま変換するために必要なデジタル変換情報が、ビデオオブジェクトユニット内のユーザ領域に記述され、
前記デジタル変換情報が第１のフォーマットのデジタルデータに含まれていることを示す第１のフラグが、管理情報内のユーザ領域に記述されていることを特徴とする情報記録媒体。
【請求項９】
各ビデオオブジェクトユニットにデジタル変換情報が含まれていることを示す第２のフラグが、各ビデオオブジェクトユニット内のユーザ領域に記述された、請求項８記載の情報記録媒体。
【請求項１０】
請求項８または９記載の情報記録媒体から第１のフォーマットのデジタルデータを読み取り、第２のフォーマットのデジタルデータに変換して記録するフォーマット変換部と、
前記情報記録媒体において、管理情報内のユーザ領域に前記第１のフラグが記述されているか否かに基づいて、第１のフォーマットから第２のフォーマットへのデジタルデータのままでの変換の可否を判断するデジタル変換可否判断部とを備えたことを特徴とする情報記録装置。
【請求項１１】
請求項８または９記載の情報記録媒体から第１のフォーマットのデジタルデータを読み取り、第２のフォーマットのデジタルデータに変換して記録する情報記録装置であって、
前記第１のフォーマットのビデオオブジェクトユニットが、第１のタイムスタンプ情報と第１のパックとを含み、前記第２のフォーマットのビデオオブジェクトユニットが、第２のタイムスタンプ情報と第２のパックとを含み、
前記情報記録装置は、
前記デジタル変換情報にもとづいて前記第１のタイムスタンプ情報を前記第２のタイムスタンプ情報に変換するタイムスタンプ変換部と、
前記デジタル変換情報にもとづいて前記第１のパックを前記第２のパックへ変換するパック変換部とを備え、
第１のフォーマットから第２のフォーマットへデジタルデータのまま変換する際に、前記タイムスタンプ変換部と前記パック変換部とが並行して動作することを特徴とする情報記録装置。
【請求項１２】
前記第１のフォーマットのデータが編集処理されている場合、当該編集処理されたデータの先頭のビデオオブジェクトユニットからの前方参照を禁止する第３のフラグを当該ビデオオブジェクトユニットへ記述する記録部をさらに備えた、請求項１０または１１に記載の情報記録装置。
【請求項１３】
請求項９記載の情報記録媒体から第１のフォーマットのデジタルデータを読み取り、第１のフォーマットのまま複製を作成する複製部と、
ビデオオブジェクトユニット内のユーザ領域に前記第２のフラグがあるか否かを解析するデジタル変換対応情報判定部と、
前記複製部により第１のフォーマットのデータの複製を作成する際に、前記デジタル変換対応情報判定部により、ビデオオブジェクトユニット内のユーザ領域に前記第２のフラグがあると判定された場合、複製先の管理情報内のユーザ領域に、第１のフラグを記述する記録部とを備えたことを特徴とする情報記録装置。
【請求項１４】
第１のフォーマットはＤＶＤビデオレコーディング規格準拠のフォーマットであり、第２のフォーマットはＤＶＤビデオ規格準拠のフォーマットである、請求項１０〜１３のいずれか一項に記載の情報記録装置。
【発明の詳細な説明】
【技術分野】
【０００１】
本発明は、ＤＶＤビデオレコーディング規格で記録されたコンテンツを、ＤＶＤビデオ規格に、高速で変換する技術に関する。
【背景技術】
【０００２】
ＤＶＤには、コンテンツのリアルタイム記録のためのＤＶＤビデオレコーディング規格と、再生専用のＤＶＤプレーヤーで再生することができる、ＤＶＤビデオ規格がある。
【０００３】
ＤＶＤレコーダーを始めとしたデジタル記録機器においては、編集が容易であるという理由により、ＤＶＤビデオレコーディング規格で記録することが一般的である。しかし、ＤＶＤプレーヤーを初めとした他の機器で再生を行うためには、ＤＶＤビデオレコーディング規格で記録されたコンテンツを、ＤＶＤビデオ規格に変換する必要がある。
【０００４】
従来は、ＤＶＤビデオレコーディング規格フォーマットからＤＶＤビデオ規格フォーマットへ変換するためには、デジタル信号をいったん復号（アナログ化）してから再符号化して記録する方法が取られていた。しかし、この方法では、いったん復号してから再符号化するために、変換時間が記録時間と同一時間を要するばかりでなく、コンテンツの画質が劣化するという欠点を有していた。
【０００５】
そこで、デジタル記録されたコンテンツを、復号せずにデジタルデータのまま他のフォーマットに変換する技術として、例えば、ＲＴＲ(Real Time Recording)フォーマットのデータストリームを、ＤＶＤビデオフォーマットのデータ形式に変換する装置および方法が、特許文献１に開示されている。なお、以降、第１のフォーマットで記録されたデジタル信号を、復号せずにデジタルデータのまま、第１のフォーマットとは異なる第２のフォーマットへ変換することを、「デジタル変換」と称する。
【特許文献１】特開２００３−１０１９２７号公報
【発明の開示】
【発明が解決しようとする課題】
【０００６】
しかしながら、従来、いったんデジタル記録されたコンテンツをデジタル変換により他のフォーマットに変換しようとした場合、実際に変換を開始してストリーム解析を行わなければ、そのデジタル変換が可能であるか否かは分からなかった。
【０００７】
そこで、本発明は、第１のフォーマットで記録されたコンテンツを第２のフォーマットに変換できるかどうかを、変換前に瞬時に判断できることを可能とする情報記録装置を提供することを目的とする。
【課題を解決するための手段】
【０００８】
上記の目的を達成するために、本発明にかかる情報記録装置は、（１）映像の最小記録単位であるビデオオブジェクトユニット（ＶＯＢＵ）が複数集まって構成された第１のフォーマットのデジタルデータを、映像の最小記録単位であるビデオオブジェクトユニットが複数集まって構成された、前記第１のフォーマットとは異なる第２のフォーマットのデジタルデータに、復号化しないでデジタルデータのまま変換する可能性があるか否かを表す情報を入力する入力部と、（２）ＡＶデータを圧縮符号化して第１のフォーマットのデジタルデータを生成すると共に、第１のフォーマットのデータを第２のフォーマットのデータにデジタルデータのまま変換するために必要なデジタル変換情報を出力するエンコーダと、（３）前記入力部により入力された情報が、第２のフォーマットへの変換の可能性があることを表している場合、前記第１のフォーマットのデジタルデータを記録媒体に記録する際に、前記デジタル変換情報をビデオオブジェクトユニット内のユーザ領域に記述すると共に、前記デジタル変換情報が第１のフォーマットのデジタルデータに含まれていることを示す第１のフラグを管理情報内のユーザ領域に記述する記録部とを備えたことを特徴とする。
【発明の効果】
【０００９】
以上詳述したように、この発明によれば、第１のフォーマットで記録したコンテンツを第２のフォーマットに変換できるかどうかを、変換前に瞬時に判断することが可能な情報記録装置を提供できる。
【発明を実施するための最良の形態】
【００１０】
上記の構成にかかる情報記録装置では、第１のフォーマットでの記録時に、第２のフォーマットへデジタル変換する可能性があるかどうかをユーザがあらかじめ選択して入力する。まず、第１のフォーマットは、ビデオオブジェクトユニット（ＶＯＢＵ）内にユーザが独自情報を記述できる領域（ユーザ領域）を有している。第２のフォーマットは、例えば、音声データのアドレスである第１の情報（Ａ＿ＳＹＮＣＡ）と、映像データのアドレスである第２の情報（ＶＯＢＵ＿２ＮＤＲＥＦ＿ＥＡ，ＶＯＢＵ＿３ＲＤＲＥＦ＿ＥＡ）とを有しており、これらの情報は、第１のフォーマットから第２のフォーマットへのデジタルデータのままでの変換（デジタル変換）に必要なデジタル変換情報である。このような第２のフォーマットへの変換を前提として前記第１のフォーマットのデータを生成するとき、前記第１の情報と前記第２の情報（デジタル変換情報）を、前記ビデオオブジェクトユニット内のユーザ領域に格納する。またこのとき管理情報（例えばＶＲ＿ＭＡＮＧＲ．ＩＦＯ）の中のユーザ領域の中にも、前記第１の情報と前記第２の情報が含まれていることを示す情報（第１のフラグ）を格納しておく。これにより、前記第１のフォーマットから前記第２のフォーマットへデジタル変換する時に、この管理情報（ＶＲ＿ＭＡＮＧＲ．ＩＦＯ）の中のユーザ領域を参照するだけで、デジタル変換する為の情報が含まれているかどうか、ストリームを解析することなく瞬時に判断することができる。
【００１１】
上記の構成にかかる情報記録装置において、前記変換の可能性がある場合、前記第１のフォーマットでデジタルデータを記録媒体に記録する際に、前記記録部が、各ビデオオブジェクトユニットにデジタル変換情報が含まれていることを示す第２のフラグを、デジタル変換情報が含まれるビデオオブジェクトユニット内のユーザ領域に記述することが好ましい。
【００１２】
上記の構成にかかる情報記録装置において、ビデオオブジェクトユニット内のユーザ領域に前記第２のフラグがあるか否かを解析するデジタル変換対応情報判定部と、前記第２のフォーマットのデータにデジタルデータのまま変換する可能性があることを前提に記録された第１のフォーマットのデータの複製を作成する複製部とをさらに備え、前記複製部により第１のフォーマットのデータの複製を作成する場合、前記デジタル変換対応情報判定部により、ビデオオブジェクトユニット内のユーザ領域に前記第２のフラグがあると判定された場合、前記記録部が、複製先の管理情報内のユーザ領域に、第１のフラグを記述することが好ましい。
【００１３】
この構成では、第１のフォーマットのデータの複製を作成するときに、複製時に第１のフォーマットのビデオオブジェクトユニット内のユーザ領域に記述したデジタル変換情報をすべて解析し、その結果から、管理情報のユーザ領域に記述されている第１のフラグを更新する。これにより、複製によってもデジタル変換情報が壊されていないことを保証することが可能となる。
【００１４】
上記の構成にかかる情報記録装置において、前記第１のフォーマットから前記第２のフォーマットへ変換する際に、前記第１のフラグを参照して、デジタルデータのまま変換することの可否を判断するデジタル変換可否判断部をさらに備えたことが好ましい。
【００１５】
また、本発明にかかる第２の情報記録装置は、映像の最小記録単位であるビデオオブジェクトユニットが複数集まって構成された第１のフォーマットのデジタルデータを、映像の最小記録単位であるビデオオブジェクトユニットが複数集まって構成された、前記第１のフォーマットとは異なる第２のフォーマットのデジタルデータに、復号化しないでデジタルデータのまま変換する情報記録装置であって、前記第１のフォーマットのビデオオブジェクトユニットが、第１のタイムスタンプ情報と第１のパックと、第１のフォーマットのデータを第２のフォーマットのデータにデジタルデータのまま変換するために必要なデジタル変換情報とを含み、前記第２のフォーマットのビデオオブジェクトユニットが、第２のタイムスタンプ情報と第２のパックとを含み、前記情報記録装置は、前記デジタル変換情報にもとづいて前記第１のタイムスタンプ情報を前記第２のタイムスタンプ情報に変換するタイムスタンプ変換部と、前記デジタル変換情報にもとづいて前記第１のパックを前記第２のパックへ変換するパック変換部とを備え、第１のフォーマットから第２のフォーマットへデジタルデータのまま変換する際に、前記タイムスタンプ変換部と前記パック変換部とが並行して動作することを特徴とする。
【００１６】
上記の構成にかかる第２の情報記録装置において、前記第１のフォーマットのデータが編集処理され、当該編集処理されたデータを前記第２のフォーマットのデータに変換する場合、当該編集処理されたデータの先頭のビデオオブジェクトユニットからの前方参照を禁止する第３のフラグを当該ビデオオブジェクトユニットへ記述する記録部をさらに備えたことが好ましい。
【００１７】
この構成では、前記第１のフォーマットのコンテンツに対して分割などの編集処理が行われた場合にも、前記第２のフォーマットへの変換時に、先頭のビデオオブジェクトユニットからの前方参照を禁止する第３のフラグを当該ビデオオブジェクトユニットへ記述する。第３のフラグの記述とは、例えば、ＧＯＰ層のＢｒｏｋｅｎｌｉｎｋを１に設定する事により、実現可能である。このように、編集されたビデオオブジェクト（ＶＯＢ）の先頭ＶＯＢＵのＢピクチャーの前方参照を行わないようにすることで、デジタル変換が可能となる。分割などの編集を行ったコンテンツに対してこの処理を行わない場合には、ＶＯＢの途中から分割されて作成された新たなＶＯＢの先頭ＶＯＢＵに含まれる先頭Ｂピクチャが、分割されてなくなったＶＯＢＵのＩもしくはＰピクチャを参照しようとするため、不具合が発生してしまう。しかしＢｒｏｋｅｎｌｉｎｋを１にすることにより、前方参照を行わなくなり、不具合は発生しなくなる。
【００１８】
また、上記の各構成にかかる情報記録装置において、第１のフォーマットはＤＶＤビデオレコーディング規格準拠のフォーマットであり、第２のフォーマットはＤＶＤビデオ規格準拠のフォーマットであることが好ましい。
【００１９】
また、本発明にかかる第１の記録媒体は、映像の最小記録単位であるビデオオブジェクトユニットが複数集まって構成された第１のフォーマットのデジタルデータを記録した記録媒体であって、前記第１のフォーマットを、映像の最小記録単位であるビデオオブジェクトユニットが複数集まって構成された、前記第１のフォーマットとは異なる第２のフォーマットのデジタルデータに、デジタルデータのまま変換するために必要なデジタル変換情報が、ビデオオブジェクトユニット内のユーザ領域に記述され、前記デジタル変換情報が第１のフォーマットのデジタルデータに含まれていることを示す第１のフラグが、管理情報内のユーザ領域に記述されていることを特徴とする。
【００２０】
また、本発明にかかる第２の記録媒体は、第１の記録媒体において、各ビデオオブジェクトユニットにデジタル変換情報が含まれていることを示す第２のフラグが、各ビデオオブジェクトユニット内のユーザ領域に記述されたものである。
【００２１】
さらに、本発明にかかる第３の情報記録装置は、前記第１または第２の情報記録媒体から第１のフォーマットのデジタルデータを読み取り、第２のフォーマットのデジタルデータに変換して記録するフォーマット変換部と、前記情報記録媒体において、管理情報内のユーザ領域に前記第１のフラグが記述されているか否かに基づいて、第１のフォーマットから第２のフォーマットへのデジタルデータのままでの変換の可否を判断するデジタル変換可否判断部とを備えたことを特徴とする。
【００２２】
また、本発明にかかる第４の情報記録装置は、前記第１または第２の情報記録媒体から第１のフォーマットのデジタルデータを読み取り、第２のフォーマットのデジタルデータに変換して記録する情報記録装置であって、前記第１のフォーマットのビデオオブジェクトユニットが、第１のタイムスタンプ情報と第１のパックとを含み、前記第２のフォーマットのビデオオブジェクトユニットが、第２のタイムスタンプ情報と第２のパックとを含み、前記情報記録装置は、前記デジタル変換情報にもとづいて前記第１のタイムスタンプ情報を前記第２のタイムスタンプ情報に変換するタイムスタンプ変換部と、前記デジタル変換情報にもとづいて前記第１のパックを前記第２のパックへ変換するパック変換部とを備え、第１のフォーマットから第２のフォーマットへデジタルデータのまま変換する際に、前記タイムスタンプ変換部と前記パック変換部とが並行して動作することを特徴とする。
【００２３】
上記の構成において、前記第１のフォーマットのデータが編集処理されている場合、当該編集処理されたデータの先頭のビデオオブジェクトユニットからの前方参照を禁止する第３のフラグを当該ビデオオブジェクトユニットへ記述する記録部をさらに備えたことが好ましい。
【００２４】
また、本発明にかかる第５の情報記録装置は、前記第２の情報記録媒体から第１のフォーマットのデジタルデータを読み取り、第１のフォーマットのまま複製を作成する複製部と、ビデオオブジェクトユニット内のユーザ領域に前記第２のフラグがあるか否かを解析するデジタル変換対応情報判定部と、前記複製部により第１のフォーマットのデータの複製を作成する際に、前記デジタル変換対応情報判定部により、ビデオオブジェクトユニット内のユーザ領域に前記第２のフラグがあると判定された場合、複製先の管理情報内のユーザ領域に、第１のフラグを記述する記録部とを備えたことを特徴とする。
【００２５】
また、前記第１の情報（Ａ＿ＳＹＮＣＡ）と前記第２の情報（ＶＯＢＵ＿２ＮＤＲＥＦ＿ＥＡ，ＶＯＢＵ＿３ＲＤＲＥＦ＿ＥＡ）とを抽出し、前記第１の情報と前記第２の情報及び管理情報のＭ＿ＡＶＦＩＴ（Ｍｏｖｉｅ  ＡＶ  Ｆｉｌｅ  Ｉｎｆｏｒｍａｔｉｏｎ  Ｔａｂｌｅ）とＯＲＧ＿ＰＧＣＩ（Ｏｒｉｇｉｎａｌ  ＰＧＣ  Ｉｎｆｏｒｍａｔｉｏｎ）に基づいて、第２のフォーマットのデータ再生を制御する情報（ナビゲーション情報）を生成する処理と、第１のフォーマットのパックを第２のフォーマットのパックに変換する処理（ＳＣＲの減算処理、ＰＴＳ、ＤＴＳの減算処理、ＰＥＳ＿ＥＸＴＥＮＳＩＯＮ＿ｆｉｅｌｄの削除、オーディオフレームナンバーの設定、ＢｒｏｋｅｎＬＩＮＫ＝１設定）を並行して行うことにより従来よりも高速で第１のフォーマットから第２のフォーマットのデータに変換することができる。
【００２６】
以下、本発明の具体的な実施形態について、図面を参照しながら説明する。
【００２７】
ここでは、第１のフォーマットとしてＤＶＤビデオレコーディング規格に準拠したフォーマットを想定し、第２のフォーマットとしてＤＶＤビデオ規格に準拠したフォーマットを想定し、説明を行う。
【００２８】
ＤＶＤビデオレコーディング規格については、「ＤＶＤビデオレコーディング規格  Ｐａｒｔ３  Ｖｉｄｅｏ  Ｒｅｃｏｒｄｉｎｇ  Ｓｅｐｔｅｍｂｅｒ  １９９９」に詳細が記載されており、ＤＶＤビデオ規格については、「ＤＶＤビデオ規格  Ｐａｒｔ３  Ｖｉｄｅｏ  Ｓｐｅｃｉｆｉｃａｔｉｏｎｓ  Ａｕｇｕｓｔ  １９９６」に詳細が記載されている。また、ＭＰＥＧ規格については「ＭＰＥＧ規格書  ＩＳＯ／ＩＥＣ  １３８１８−１  １３８１８−２」等に詳細が記載されている。以降、これらの規格で定義された用語等も用いながら、本発明の実施の一形態について、図面に基づいて詳細に説明する。
【００２９】
図１は、本実施形態に係る情報記録装置の概略構成図である。
【００３０】
本実施形態の情報記録装置は、図１に示すように、エンコーダ４、ストリームコントローラ１２、ホストマイコン５、ＲＤＩ＿ＰＣＫ／ＮＶ＿ＰＣＫ変換器６（以降、変換器と略称する）を備えており、第１の記録媒体に第１のフォーマットによるデジタルデータとしてコンテンツの記録を行い、このコンテンツを第２のフォーマットに変換し、第２の記録媒体に記録することができる。なお、第１のフォーマットから第２のフォーマットへの変換は、デジタルデータを復号化せずにデジタルデータのまま行う。このような変換を、「デジタル変換」と称することとする。また、本実施形態では、第１の記録媒体としてハードディスク１３、第２の記録媒体としてＤＶＤ１４を用いるものとして、以下の説明を行う。ただし、記録媒体として用いることができるのは、これらの組み合わせのみに限定されず、ハードディスクとＤＶＤ以外の可搬型記録媒体との組み合わせであっても良いし、ハードディスクの代わりにＤＶＤ−ＲＡＭを用いることも可能である。
【００３１】
なお、本実施形態の情報記録装置は、第１のフォーマットでコンテンツの記録を行う際に、当該コンテンツを後に第２のフォーマットにデジタル変換する可能性があるとユーザが指定した場合は、第２のフォーマットへのデジタル変換が可能な状態で、第１のフォーマットのコンテンツの記録を行う。第１のフォーマットとは、映像の最小記録単位であるビデオオブジェクトユニット（ＶＯＢＵ）が複数集まって構成された形式をいう。第２のフォーマットとは、ＶＯＢＵが複数集まって構成されている点では第１のフォーマットと共通であるが、第１のフォーマットとは異なる形式をいう。「第２のフォーマットへのデジタル変換が可能な状態」とは、第１のフォーマットのコンテンツ内に、第２のフォーマットへデジタル変換を行う際に必要となる情報（以降、「デジタル変換情報」と称する）が、ストリーム内の各ＶＯＢＵに埋め込まれた状態である。また、デジタル変換情報が埋め込まれていることを表すフラグが、各ＶＯＢＵ内のユーザ領域に第２のフラグとして、管理情報内のユーザ領域に第１のフラグとして、それぞれ記述されるようになっている。上述のデジタル変換情報、第１のフラグ、および第２のフラグは、第２のフォーマットへの変換の可能性がある場合にのみ第１のフォーマットによる記録時に記録される情報であるので、以降、これらをまとめて「デジタル変換対応情報」と称することもある。
【００３２】
エンコーダ４は、エレメンタリーストリームエンコーダ１、ＲＤＩ＿ＰＣＫ生成器２、システムエンコーダ３を備えている。ストリームコントローラ１２は、ストリーム解析器７、ストリーム変換器８、デジタル変換対応情報判定器９、デジタル変換対応情報生成器１０、記録・再生器１１を備えている。ホストマイコン５は、エンコーダ４、ストリームコントローラ１２、変換器６に動作指示を出す。
【００３３】
図２は、ビデオレコーディング規格において情報が記録されるディスクのディレクトリ構造を示している。図２に示すように、このディスクにおけるディレクトリは階層構造を有し、ＲＯＯＴディレクトリの下に、ＤＶＤ＿ＲＴＡＶというディレクトリがある。このディレクトリの中には、ＶＲ＿ＭＡＮＧＲ．ＩＦＯ、ＶＲ＿ＭＯＶＩＥ．ＶＲＯ、ＶＲ＿ＳＴＩＬＬ．ＶＲＯ、ＶＲ＿ＡＵＤＩＯ．ＶＲＯ、ＶＲ＿ＭＡＮＡＧＥＲ．ＢＵＰというファイルがある。なお、図２では、図示を省略しているが、ＲＯＯＴディレクトリの下には、他にも多くのディレクトリやファイルが存在している。
【００３４】
図３は、ＶＲ＿ＭＡＮＧＲ．ＩＦＯファイルに格納されているＲＴＲ＿ＶＭＧの構成を示す。ＲＴＲ＿ＶＭＧ内の、テキストデータマネージャ（ＴＸＴＤＴ＿ＭＧ）３０１の中のデータ列がＩＴ＿ＴＸＴであり、このＩＴ＿ＴＸＴの一部を、デジタル変換対応情報を記録するための領域として用いる（図４参照）。
【００３５】
なお、図３に示すＲＴＲ＿ＶＭＧにおいて、ＲＴＲ＿ＶＭＧＩには、Ｍ＿ＡＶＦＩＴ，  ＳＡＶＦＩＴなどの開始アドレスやタイムゾーンや文字コード、レコーディングされたディスクの基本的な情報が記載されている。Ｍ＿ＡＶＦＩＴには、映像や音声の属性やタイムマップなど動画ファイル  ＶＲ＿ＭＯＶＩＥ．ＶＲＯに関する情報が記載されている。Ｓ＿ＡＶＩＦＴには、映像や音声の属性など静止画ファイル（ＶＲ＿ＳＴＩＬＬ．ＶＲＯ）に関する情報が記載されている。ＯＲＧ＿ＰＧＣＩには、再生開始・終了時間、映像・音声属性の検索情報、エントリポイント、テキスト情報などプログラムチェーンに関する情報が記載されている。ＵＤ＿ＰＧＣＩＴには、ユーザが作成するプレイリストに関する情報が記載されている。ＴＸＴＤＴ＿ＭＧには、プログラム（番組）、プレイリストに関するテキスト情報が記載されている。このテキスト情報はプライマリテキストの補助情報になる。ＭＮＦＩＴには、メーカーで定められた情報が記載されている。
【００３６】
図５は、ＤＶＤビデオレコーディング規格におけるリアルタイムデータ情報（ＲＤＩ＿ＰＣＫ）の構成を示したものである。ＲＤＩ＿ＰＣＫは、ビデオレコーディング規格では各ＶＯＢＵの先頭に配置されるパックである（図１１参照）。
【００３７】
図６は、ビデオオブジェクトユニット（ＶＯＢＵ）の中のユーザ領域に記述するデータの内容を示したものである。図６に示すように、ここではユーザ領域として、ＲＤＩ＿ＰＣＫのＲＤＩデータ内のマニュファクチュアズインフォメーション領域５０３を使っている。
【００３８】
図７は、ＤＶＤビデオ規格におけるＶＯＢ（ビデオオブジェクトセット）の構成例を示したものである。図７に示すように、ＶＯＢ６０１は、複数のビデオオブジェクト６０２（ＶＯＢ＿ＩＤＮｉ：ｉは自然数）から構成される。１つのビデオオブジェクト６０２は、複数のセル６０３（Ｃ＿ＩＤＮｊ：ｊは自然数）から構成される。１つのセル６０３は、複数のビデオオブジェクトユニット６０４（ＶＯＢＵ）から構成される。１つのＶＯＢＵ６０４は、ナビゲーションパック（ＮＶ＿ＰＣＫ）６０５を先頭として、オーディオパック６０６、ビデオパック６０７、サブピクチャパック６０８から構成される。
【００３９】
図８は、ＤＶＤビデオ規格におけるナビゲーションパック６０５の構成を示したものである。図８に示すように、ナビゲーションパック６０５は、ＰＣＩ＿ＰＫＴとＤＳＩ＿ＰＫＴの先頭に、パックヘッダとシステムヘッダが付加された構成である。ＰＣＩ＿ＰＫＴは、パケットヘッダ、サブストリームＩＤ、およびＰＣＩデータからなる。ＤＳＩ＿ＰＫＴは、パケットヘッダ、サブストリームＩＤ、およびＤＳＩデータからなる。
【００４０】
図９（ａ）および（ｂ）は、ＤＶＤビデオレコーディング規格におけるビデオパック６０７の構成を示したものである。ビデオパック６０７は、１つのＶＯＢＵ内に存在するビデオパックのうち先頭にあるパックとそれ以降のパックとでは、構成が異なる。図９（ａ）が先頭にあるパックの構成を示し、図９（ｂ）が２パック目以降のビデオパックの構成を示す。図９（ａ）に示すように、ＶＯＢＵ内で先頭にあるビデオパック６０７は、Ｖ＿ＰＫＴにパックヘッダとシステムヘッダが付加されたものである。Ｖ＿ＰＫＴは、パケットヘッダとビデオデータから構成される。また、図９（ｂ）に示すように、ＶＯＢＵ内の２パック目以降のビデオパック６０７は、システムヘッダがない以外は、図９（ａ）に示したビデオパックと同様の構成である。
【００４１】
図１０（ａ）および（ｂ）は、ビデオレコーディング規格におけるオーディオパック６０６の構成を示したものである。オーディオパック６０６は、図１０（ａ）および（ｂ）に示すように、パックヘッダとＡ＿ＰＫＴからなるが、ドルビーＡＣ３の場合と、リニアＰＣＭの場合とで、Ａ＿ＰＫＴのフォーマットが異なっている。ドルビーＡＣ３のＡ＿ＰＫＴは、図１０（ａ）に示すように、パケットヘッダ、サブストリームＩＤ、オーディオフレーム情報、ドルビーＡＣ３のオーディオデータから構成される。リニアＰＣＭのＡ＿ＰＫＴは、図１０（ｂ）に示すように、パケットヘッダ、サブストリームＩＤ、オーディオフレーム情報、オーディオデータ情報、リニアＰＣＭのオーディオデータから構成される。
【００４２】
図１１は、ＤＶＤビデオレコーディング規格からＤＶＤビデオ規格に変換する場合のストリームフォーマットの対応関係を示す図である。図１２は、ＤＶＤビデオレコーディング規格で、ＰＥＳ＿ＥＸＴＥＮＳＩＯＮ＿ｆｉｅｌｄが存在するパックに対して、ＤＶＤビデオ規格に変換する際に、ＰＥＳ＿ＥＸＴＥＮＳＩＯＮ＿ｆｉｅｌｄを、スタッフィングバイト（Ｓｔｕｆｆｉｎｇ  Ｂｙｔｅｓ）化あるいは、パディングパケット（Ｐａｄｄｉｎｇ  Ｐａｃｋｅｔ）化する様子を説明する図である。これらの図面については、後に説明する。
【００４３】
以下、本実施形態にかかる情報記録装置の動作について説明する。
【００４４】
本実施形態にかかる情報記録装置は、例えばＴＶ放送などのコンテンツを第１のフォーマットで記録する際に、そのコンテンツを、後に、第１のフォーマットとは異なる第２のフォーマットにデジタル変換する可能性がある場合は、「デジタル変換対応モード」で記録する。
【００４５】
以降、第１のフォーマットがＤＶＤビデオレコーディング規格、第２のフォーマットがＤＶＤビデオ規格である場合を例として説明する。この場合、コンテンツをＤＶＤビデオレコーディング規格で録画する際に、ユーザは、そのコンテンツを後でＤＶＤビデオ規格に変換することが考えられる場合は、情報記録装置に対して、「デジタル変換対応モード」で動作するよう指示を入力する。
【００４６】
ユーザが、「デジタル変換対応モード」の選択指示を入力すると（ステップＳ１の結果がＹＥＳ）、ホストマイコン５は、その情報をエレメンタリーストリームエンコーダ１に対して送る（ステップＳ２）。次に、ＲＤＩ＿ＰＣＫ生成器２で、基本となるリアルタイムデータ情報（ＲＤＩ＿ＰＣＫ）を作成する（ステップＳ３）。次に、システムエンコーダ３からホストマイコン５に対してナビゲーションパック（ＮＶ＿ＰＣＫ）生成のためのデータを転送する（ステップＳ４）。ここで、ナビゲーションパック（ＮＶ＿ＰＣＫ）生成のためのデータとは、音声データのアドレスである第１の情報（Ａ＿ＳＹＮＣＡ）と、映像データのアドレスである第２の情報（ＶＯＢＵ＿２ＮＤＲＥＦ＿ＥＡ，ＶＯＢＵ＿３ＲＤＲＥＦ＿ＥＡ）のことである。
【００４７】
続いて、エンコードされたデータはストリームコントローラ１２を介して、ＲＤＩ＿ＰＣＫ／ＮＶ＿ＰＣＫ変換器６に転送される。ここで、ホストマイコン５にあるナビゲーションパック（ＮＶ＿ＰＣＫ）生成のためのデータと、管理情報とを元に、ＲＤＩ＿ＰＣＫ／ＮＶ＿ＰＣＫ変換器６で、デジタル変換のための情報を含んだＲＤＩ＿ＰＣＫを生成する（ステップＳ５）。またこのとき、ビデオオブジェクト内の、ユーザが独自情報を記述できる領域に、デジタル変換対応情報を記載しておく。ここではＲＤＩ＿ＰＣＫのＲＤＩデータの中のＭＮＦ＿ＩＤに、メーカーコードを記載するとともに、ＭＮＦＩ＿ＤＴにデジタル変換対応情報を記載しておく。なお、ＲＤＩ＿ＰＣＫの構造については図５に、ＲＤＩ＿ＰＣＫのＲＤＩデータに含まれるＭＮＦ＿ＩＤ、ＭＮＦＩ＿ＤＴについては図６にその構成を示した。
【００４８】
続いて、ホストマイコン５からの指示にもとづいて、デジタル変換対応情報生成器１０が、管理情報（ＶＲ＿ＭＡＮＧＲ．ＩＦＯ）のユーザ領域（図４に示すＩＴ＿ＴＸＴの一部）に、デジタル変換対応情報（第１のフラグ）を生成する（ステップＳ６）。ここで、図２に示したディレクトリ構造において、リアルタイムレコーディングムービービデオ（ＶＲ＿ＭＯＶＩＥ．ＶＲＯ）ファイルと、静止画用アフターレコーディング音声用データファイルとして設けられるＶＲ＿ＡＵＤＩＯ．ＶＲＯファイルと、静止画用データファイルとして設けられるリアルタイムレコーディングスチルピクチャービデオ（ＶＲ＿ＳＴＩＬＬ．ＶＲＯ）ファイルとが存在し、管理情報（ＶＲ＿ＭＡＮＧＲ．ＩＦＯ）とは、このビデオデータファイルを管理するための管理情報ファイルである。ここでは、管理情報（ＶＲ＿ＭＡＮＧＲ．ＩＦＯ）の中の、ユーザが独自情報を記述できる領域として、図３および図４に示したとおり、ＶＲ＿ＭＡＮＧＲ．ＩＦＯファイルを構成するＲＴＲ＿ＶＭＧ中のＴＸＴＤＴ＿ＭＧのＩＴ＿ＴＸＴに、デジタル変換対応情報（第１のフラグ）を記述する。
【００４９】
次に、記録・再生器１１により、１ＶＯＢＵのストリームを、ハードディスク１３に書き込む（ステップＳ７）。このステップＳ３〜Ｓ７の一連の処理を、録画が停止するまで（ステップＳ８の結果がＹＥＳとなるまで）繰り返す。
【００５０】
なお、ユーザが、「デジタル変換対応モード」を選択しなかった場合は（ステップＳ１の結果がＮＯ）、ホストマイコン５は、その情報をエレメンタリーストリームエンコーダ１に対して送る（ステップＳ９）。次に、ＲＤＩ＿ＰＣＫ生成器２で、基本となるリアルタイムデータ情報（ＲＤＩ＿ＰＣＫ）を作成する（ステップＳ１０）。そして、ストリームコントローラ１２の記録・再生器１１により、１ＶＯＢＵのストリームを、ハードディスク１３に書き込む（ステップＳ１１）。以上のステップＳ１０〜Ｓ１１の処理を、録画が停止するまで（ステップＳ１２の結果がＹＥＳとなるまで）繰り返す。
【００５１】
以上の手順により、「デジタル変換対応モード」で、コンテンツが第１のフォーマット（ここではＤＶＤビデオレコーディング規格）でハードディスク１３に記録された後、このコンテンツを、他の媒体に複製する場合の手順について、図１４のフローチャートを参照しながら説明する。なお、ここでの「複製」とは、第１のフォーマットで記録されたコンテンツを、第１のフォーマットのまま（すなわちフォーマット変換をせずに）、他の媒体（あるいは同じ媒体上の他の記録領域）へコピーすることをいう。
【００５２】
まず、複製を始める前に、記録・再生器１１で、ハードディスク１３から管理情報を読み出し、メモリ上に展開する。そして、デジタル変換対応情報生成器１０もしくはホストマイコン５が、デジタル変換対応情報を、メモリ上に展開されている管理情報（ＩＴ＿ＴＸＴ）に書き込む（ステップＳ２１）。
【００５３】
次に、記録・再生器１１で、ハードディスク１３からストリームを読み出す（ステップＳ２２）。次に、ストリーム解析器７で、ＶＯＢＵのユーザ領域（ここではＲＤＩ＿ＰＣＫのＲＤＩデータ内のＭＮＦＩ＿ＤＴ）に記述した、メーカーＩＤと、デジタル変換対応情報（デジタル変換情報および第２のフラグ）を解析する（ステップＳ２３）。このとき、ストリーム解析器７では、解析結果としてデジタル変換に対応していない情報があるかどうかを保持しておく。なお、このデータの保持はホストマイコン５で行ってもよい。解析が終わったＶＯＢＵは、記録・再生器１１によって、ハードディスク１３もしくはＤＶＤ１４に書き込まれる（ステップ２４）。ここで、解析が終わったデータを書き込む記録媒体としては、データを読み出した記録媒体と違う記録媒体でも良いし、同一の記録媒体でも良い。ステップＳ２２〜Ｓ２４の処理を、ストリームの最終ＶＯＢＵについての解析を終了するまで（ステップＳ２５の結果がＹＥＳとなるまで）繰り返し行う。
【００５４】
そして、ステップＳ２３におけるストリーム解析器７の解析結果から、ＲＤＩ＿ＰＣＫのＭＮＦＩ＿ＤＴにデジタル変換対応情報（デジタル変換情報および第２のフラグ）がないＶＯＢＵが１つでも存在すると判断される場合は（ステップＳ２６の結果がＮＯ）、デジタル変換対応情報生成器１０で管理情報内のデジタル変換対応情報（第１のフラグ）を削除し（ステップＳ２７）、管理情報の更新を行う（ステップＳ２８）。最後に、記録・再生器１１により管理情報を記録媒体に書き戻す（ステップＳ２９）。
【００５５】
以上の処理により、デジタル変換対応のＤＶＤビデオレコーディング規格で記録されたコンテンツの複製を作成した場合にも、複製先のデータに対してデジタル変換するためのデータが含まれているかを判断し、デジタル変換できるかどうかを瞬時に判断することができる。
【００５６】
なお、上述の説明では、ステップＳ２６において、デジタル変換対応情報がないＶＯＢＵが１つでも存在すると判断された場合に、ステップＳ２７で管理情報内の第１のフラグを削除するものとしたが、必ずしも全ＶＯＢＵについてデジタル変換対応情報の有無を確認しなくとも良い。例えば、処理速度を重視する場合は、一部のＶＯＢＵについてのみデジタル変換対応情報の有無を確認するようにしても良い。
【００５７】
次にＤＶＤビデオレコーディング規格で記録されたコンテンツをＤＶＤビデオ規格にフォーマット変換（デジタル変換）する処理について説明する。
【００５８】
本実施形態では、上述のように、第１のフォーマットでコンテンツを記録する際に、そのフォーマットにおける管理情報のユーザ領域に、デジタル変換対応情報の有無を記録するようになっている。従って、この管理情報を参照することにより、第１のフォーマットで記録されたコンテンツのデジタル変換が可能か否かを、ストリーム解析を行わずに、簡単かつ速やかに判定することができる。
【００５９】
まず、このデジタル変換の可否判定の処理手順について、図１５を元に説明する。まず、第１のフォーマットでコンテンツを記録した記録媒体（本実施形態ではハードディスク１３）から、記録再生器１１で管理情報を読み出す（ステップＳ３１）。次に、デジタル変換対応情報判定器９で、管理情報（ＶＲ＿ＭＡＮＧＲ．ＩＦＯ）のユーザ領域（ここではＴＸＴＤＴ＿ＭＧのＩＴ＿ＴＸＴ）に記述されている情報を解析し（ステップＳ３２）、ここにデジタル変換対応情報（第１のフラグ）があるか否かを判別する（ステップＳ３３）。この結果、デジタル変換対応情報があれば、デジタル変換可と判断し、デジタル変換処理（ステップＳ３４）を実行する。デジタル変換対応情報がなければ、デジタル変換不可と判断する。以上の処理によりストリームを解析することなく、そのコンテンツがデジタル変換対応かどうかを判定することが可能となる。
【００６０】
次に、上述のステップＳ３４の処理の内容、すなわち、ＤＶＤビデオレコーディング規格で記録されたコンテンツをＤＶＤビデオ規格にフォーマット変換（デジタル変換）する処理の手順について、以下に説明する。
【００６１】
まず、ＤＶＤビデオレコーディング規格とＤＶＤビデオ規格の違いを説明しながら、変換を行うために必要な処理を説明する。図７に、ＤＶＤビデオ規格のＶＯＢの構造を示したが、ＤＶＤビデオレコーディング規格においても、この図７にある、ビデオパック（Ｖ＿ＰＣＫ）６０７、オーディオパック（Ａ＿ＰＣＫ）６０６及びサブピクチャパック（ＳＰ＿ＰＣＫ）６０８があるという点では同一である。図７にあるナビゲーションパック（ＮＶ＿ＰＣＫ）６０５については、ＤＶＤビデオ規格に特有のパックであり、ＤＶＤビデオレコーディング規格においては、これに対応する位置にＲＤＩ＿ＰＣＫが存在する（図１１参照）。
【００６２】
図８に、ナビゲーションパックの構造を、図９にビデオパックの構造を、図１０にオーディオパックの構造を示した。それぞれのパックにおいて、パックの種類は、それぞれのパケットヘッダ内に記録されている、ｓｔｒｅａｍ＿ｉｄ及びｓｕｂ＿ｓｔｒｅａｍ＿ｉｄにより判別することができる。１つのパックは、パックヘッダと１個以上のパケットで構成され、パックの長さは２０４８バイトである。
【００６３】
ここで、ＤＶＤビデオレコーディング規格からＤＶＤビデオ規格への変換処理は、大きく分けて、（１）ＲＤＩ＿ＰＣＫをＮＶ＿ＰＣＫに変換する処理と、（２）ＲＤＩ＿ＰＣＫ、Ｖ＿ＰＣＫ、Ａ＿ＰＣＫ、ＳＰ＿ＰＣＫのそれぞれのパックのフォーマットを変換する処理とに分けられる。
【００６４】
ＲＤＩ＿ＰＣＫをＮＶ＿ＰＣＫに変換するためには、まず、ＲＤＩ＿ＰＣＫのＲＤＩデータの中に記録されたデジタル変換情報、すなわち、音声データのアドレスである第１の情報（Ａ＿ＳＹＮＣＡ）、映像データのアドレスである第２の情報（ＶＯＢＵ＿２ＮＤＲＥＦ＿ＥＡ，ＶＯＢＵ＿３ＲＤＲＥＦ＿ＥＡ）、管理情報のＭ＿ＡＶＦＩＴ（Ｍｏｖｉｅ  ＡＶ  Ｆｉｌｅ  Ｉｎｆｏｒｍａｔｉｏｎ  Ｔａｂｌｅ）の情報、及び、ＯＲＧ＿ＰＧＣＩ（Ｏｒｉｇｉｎａｌ  ＰＧＣ  Ｉｎｆｏｒｍａｔｉｏｎ）の情報を用いて、ナビゲーション情報を作成する。
【００６５】
上記（２）の、それぞれのパックのフォーマット変換処理に関して、各パックのパックヘッダ内にはタイムスタンプＳＣＲ（Ｓｙｓｔｅｍ  Ｃｌｏｃｋ  Ｒｅｆｅｒｅｎｃｅ）があるが、ＤＶＤビデオ規格においては、ＶＯＢの先頭ＶＯＢＵに配置されるＲＤＩ＿ＰＣＫのタイムスタンプＳＣＲ（Ｓｙｓｔｅｍ  Ｃｌｏｃｋ  Ｒｅｆｅｒｅｎｃｅ）は、必ず０に設定されなければならない。ＤＶＤビデオレコーディング規格においてはこの規定はないので、ＤＶＤビデオレコーディング規格からＤＶＤビデオ規格への変換時には、この減算処理を行わなければならない。さらにＰＴＳ、ＤＴＳについても、同様に、ＳＣＲの減算分の値分だけ減算する必要がある。
【００６６】
次に必要な変換処理としては、ＰＥＳ＿ＥＸＴＥＮＳＩＯＮ＿ｆｉｅｌｄの削除処理がある。この処理について、図１１および図１２を元に説明を行う。ＤＶＤビデオレコーディング規格においては、図１１に示したように、すべてのＶＯＢＵにＰＥＳ＿ＥＸＴＥＮＳＩＯＮ＿ｆｉｅｌｄが存在する。一方、ＤＶＤビデオレコーディング規格においては、ＶＯＢ内の先頭のビデオ、オーディオ、サブピクチャのパック以外にＰＥＳ＿ＥＸＴＥＮＳＩＯＮ＿ｆｉｅｌｄが存在してはいけない。そこで、このＶＯＢの先頭のビデオ、オーディオ、サブピクチャのパック以外からＰＥＳ＿ＥＸＴＥＮＳＩＯＮ＿ｆｉｅｌｄを削除する処理を行う。この処理は、図１２（ａ）および（ｂ）に示したような、スタッフィングバイト化、パディングパケット化により実現する。
【００６７】
ＰＥＳ＿ＥＸＴＥＮＳＩＯＮ＿ｆｉｅｌｄのスタッフィングバイト化とは、図１２（ａ）に示すように、ＰＥＳ＿ＥＸＴＥＮＳＩＯＮ＿ｆｉｅｌｄのデータをサイズ調整用データに変換する処理である。また、ＰＥＳ＿ＥＸＴＥＮＳＩＯＮ＿ｆｉｅｌｄのパディングパケット化とは、図１２（ｂ）に示すように、ＰＥＳ＿ＥＸＴＥＮＳＩＯＮ＿ｆｉｅｌｄのデータを削除し、パケットデータの直後にパディングパケットを追加する処理である。
【００６８】
次に必要な変換処理としては、オーディオフレームナンバーの変更がある。図１０に、オーディオパックの構成を示したが、ＤＶＤビデオ規格においては、オーディオ記録方式がリニアＰＣＭの場合にはオーディオフレームナンバーが必ず０から始まり、かつ１９までの数値でなければならないという制約がある。ＤＶＤビデオレコーディング規格にはこの制約はないので、変換時には、オーディオフレームナンバーの書き換え処理が必要となる。
【００６９】
以上に、ＤＶＤビデオレコーディング規格で記録したコンテンツをＤＶＤビデオ規格にフォーマット変換するために必要な処理について説明したが、ＤＶＤビデオレコーディング規格で記録され、分割などの編集処理がなされたコンテンツをＤＶＤビデオ規格に変換する場合は、ＶＯＢの先頭ＶＯＢＵの先頭Ｂピクチャーが、編集によって削除された前のＩもしくはＰピクチャーを参照しようとする不具合が生じる。この不具合を回避するために、分割などの編集処理がなされている場合には、先頭ＶＯＢＵのＧＯＰ層のブロークンリンク（ＢｒｏｋｅｎＬＩＮＫ）の値を１に変更することによって、先頭Ｂピクチャーの前方参照を禁止するという処理を行うことが好ましい。この処理により、ＤＶＤビデオレコーディング規格で記録されたコンテンツが分割などの編集処理を受けた場合にも、ＤＶＤビデオ規格にデジタル変換する事が可能となる。
【００７０】
なお、上述したＮＶ＿ＰＣＫの作成と、ストリーム加工との２つに分けて別々に行うこととすれば、変換の高速化を実現できるので好ましい。本実施形態では、この好ましい態様にかかる処理手順を、図１６のフローチャートを元に説明する。ここでは１つのＶＯＢの処理について説明を行う。
【００７１】
まず、記録・再生器１１により、ハードディスク１３よりストリームを読み出す（ステップＳ４１）。続いてストリーム変換器８から、ＲＤＩ＿ＰＣＫ／ＮＶ＿ＰＣＫ変換器６にＮ個のＶＯＢＵを読み出す（ステップＳ４２）。ここで読み出したＶＯＢＵがＶＯＢの先頭ＶＯＢＵであれば（ステップＳ４３の結果がＹＥＳ）、ＶＯＢＵの先頭にあるＲＤＩ＿ＰＣＫのＳＣＲの値を取得して、ストリーム変換器８に転送する（ステップＳ４４）。
【００７２】
続いて、ＲＤＩ＿ＰＣＫ／ＮＶ＿ＰＣＫ変換器６で、システムエンコーダ３よりホストマイコン５が取得したＮＶ＿ＰＣＫ生成のための音声データのアドレスである第１の情報（Ａ＿ＳＹＮＣＡ）、映像データのアドレスである第２の情報（ＶＯＢＵ＿２ＮＤＲＥＦ＿ＥＡ，ＶＯＢＵ＿３ＲＤＲＥＦ＿ＥＡ）、管理情報のＭ＿ＡＶＦＩＴ（Ｍｏｖｉｅ  ＡＶ  Ｆｉｌｅ  Ｉｎｆｏｒｍａｔｉｏｎ  Ｔａｂｌｅ）の情報、および、ＯＲＧ＿ＰＧＣＩ（Ｏｒｉｇｉｎａｌ  ＰＧＣ  Ｉｎｆｏｒｍａｔｉｏｎ）の情報を元に、ＲＤＩ＿ＰＣＫをＮＶ＿ＰＣＫに変換する（ステップＳ４５）。このＲＤＩ＿ＰＣＫからＮＶ＿ＰＣＫへの変換が終われば、変換後のストリームをストリーム変換器８に転送する（ステップＳ４６）。次に、記録・再生器１１に対して、変換後のストリームをＤＶＤ１４に記録するための設定を行う（ステップＳ４７）。
【００７３】
ここで、記録のための設定（ステップＳ４７）を行ったあとは、ＲＤＩ＿ＰＣＫ／ＮＶ＿ＰＣＫ変換器６は、ステップＳ４２へ戻り、新たにストリーム変換器８よりデータを取得して、ＮＶ＿ＰＣＫ生成の為の処理（ステップＳ４２〜Ｓ４７）を繰り返す。本実施形態では、それと並行して、ストリーム変換器８で、ストリーム加工の為の処理（ステップＳ５１〜Ｓ５４）を開始する。
【００７４】
まず、ストリーム変換器８に対して、変換を行う為の初期設定として、先頭ＶＯＢＵのＲＤＩ＿ＰＣＫより取得したＳＣＲの値を設定する（ステップＳ５１）。次に、ストリーム変換器８で、ストリーム加工処理を行う（ステップＳ５２）。このステップＳ５２で行うのは、実施の形態１で説明したように、ＳＣＲの減算処理、ＰＴＳ、ＤＴＳの減算処理、ＰＥＳ＿ＥＸＴＥＮＳＩＯＮ＿ｆｉｅｌｄの削除、オーディオフレームナンバーの設定、ブロークンリンクを１に設定する処理である。ここで、ＳＣＲの減算については、実際の値を、初期設定で設定された値分だけ減算するという処理を行う。また、ＰＴＳ、ＤＴＳについてはＳＣＲの減算処理の際に設定した値分だけ減算を行う。さらに、ＰＥＳ＿ＥＸＴＥＮＳＩＯＮ＿ｆｉｅｌｄの削除については、ＶＯＢの先頭ＶＯＢＵ以外のすべてをスタッフィングバイト化もしくはパディングパケット化によって削除する。またオーディオフレームナンバーについては、ＶＯＢＵの先頭の値を０とし、最大を１９としたカウンタをもちいて、０から１９まですすむと０にもどるように変更を行う。さらにブロークンリンクについては、ＰＧが編集されたかどうかを判断し、編集されている場合にはブロークンリンクを１に変更する。
【００７５】
以上のストリーム加工処理が終われば、すぐに、記録・再生器１１により、ＤＶＤ１４にストリームを書き込む（ステップＳ５３）。ここで、ＤＶＤなどの記録媒体への書き込みを行うときには、ある一定の単位での書き込み処理が必要となるが、ストリームコントローラ１２内のそれぞれの機能ブロック（ストリーム解析器７，ストリーム変換器８、デジタル変換対応情報判定器９、デジタル変換対応情報生成器１０、記録・再生器１１）およびＲＤＩ＿ＰＣＫ／ＮＶ＿ＰＣＫ変換器６には、十分な情報を蓄えるためのＳＤＲＡＭ、ＳＲＡＭなどのバッファがあればよい。また、ストリームコントローラ１２内のそれぞれの機能ブロック間でのデータ転送は非常に高速に行えるものとし、またそれぞれの処理を受けたデータは各ブロックのバッファ部に蓄えることができるものとする。また、各ブロックには最低限の容量のバッファを持ち、ストリームコントローラ１２に大容量のバッファを持つという構成でも、本機能を実現することができる。以上の処理を繰り返し行うことにより、ＤＶＤビデオレコーディング規格から、ＤＶＤビデオ規格のフォーマットに、高速で変換することが可能となる。
【００７６】
以上のように、図１６に示す手順によれば、ＤＶＤビデオレコーディング規格で記録したフォーマットのコンテンツをＤＶＤビデオ規格のフォーマットにデジタル変換する際に、ナビゲーション情報（ＮＶ＿ＰＣＫ）の作成と、ストリームの変換という２つの処理を並行して行う事により、高速でフォーマット変換する事ができる。
【産業上の利用可能性】
【００７７】
本発明によれば、第１のフォーマットで記録したコンテンツを第２のフォーマットに変換できるかどうかを、変換前に瞬時に判断することが可能な情報記録装置を提供できる。
【図面の簡単な説明】
【００７８】
【図１】この発明の実施の形態に係るフォーマット変換用信号処理構成図
【図２】同実施の形態における、ＶＲ＿ＭＡＮＧＥＲの説明を行うための、ＤＶＤビデオレコーディング規格におけるファイル構成を示した図
【図３】ＶＲ＿ＭＡＮＧＲ．ＩＦＯファイルに格納されているＲＴＲ＿ＶＭＧの構成を示す図
【図４】同実施の形態における、管理情報（ＶＲ＿ＭＡＮＡＧＥＲ．ＩＦＯ）に含まれるデジタル変換のための情報を示す図
【図５】同実施の形態におけるＲＤＩ＿ＰＣＫの詳細な構造を説明するために示す図
【図６】同実施の形態におけるＲＤＩ＿ＰＣＫの中の属性情報（マニュファクチュアズインフォメーション）について説明するために示す図
【図７】同実施の形態におけるビデオ規格のＶＯＢの構造を説明するために示す図
【図８】同実施の形態におけるＮＶ＿ＰＣＫ（ナビゲーションパック）の構造を説明するために示す図
【図９】同実施の形態におけるＶ＿ＰＣＫ（ビデオパック）の構造を説明するために示す図
【図１０】同実施の形態における、Ａ＿ＰＣＫ（オーディオパック）の構造を説明するために示す図
【図１１】同実施の形態におけるＤＶＤビデオレコーディング規格のストリームをＤＶＤビデオ規格のストリームに変換する際のそれぞれの対応パック図を示す図
【図１２】同実施の形態における、ＰＥＳ＿ＥＸＴＥＮＳＩＯＮ＿ｆｉｅｌｄの無効化図
【図１３】同実施の形態における、デジタル変換対応モードで記録するときの動作を説明するために示す図
【図１４】同実施の形態における、異なる媒体間でデジタル変換対応モードで記録されたストリームを複製するときの動作を説明するために示す図
【図１５】同実施の形態におけるデジタル変換可否判定方法を説明するために示す図
【図１６】同実施の形態における、デジタル変換対応のストリームを１ＶＯＢ分デジタル変換するときの動作を説明するために示す図
【符号の説明】
【００７９】
１  エレメンタリーストリームエンコーダ
２  ＲＤＩ＿ＰＣＫ生成器
３  システムエンコーダ
４  エンコーダ
５  ホストマイコン
６  ＲＤＩ＿ＰＣＫ／ＮＶ＿ＰＣＫ変換器
７  ストリーム解析器
８  ストリーム変換器
９  デジタル変換対応情報判定器
１０  デジタル変換対応情報生成器
１１  記録・再生器
１２  ストリームコントローラ
１３  ハードディスク
１４  ＤＶＤ
５０１  ＤＶＤビデオレコーディング規格のＲＤＩ＿ＰＣＫのＭＮＦ＿ＩＤ
５０２  ＭＮＦ＿ＩＤに記録するメーカー情報
５０３  ＤＶＤビデオレコーディング規格のＲＤＩ＿ＰＣＫのＭＮＦ＿ＩＴ
５０４  ＭＮＦ＿ＩＴに記述するデジタル変換対応情報
５０５  ＭＮＦ＿ＩＴに記録するその他の情報
【図１】
2005033721.tif 000003
【図２】
2005033721.tif 000004
【図３】
2005033721.tif 000005
【図４】
2005033721.tif 000006
【図５】
2005033721.tif 000007
【図６】
2005033721.tif 000008
【図７】
2005033721.tif 000009
【図８】
2005033721.tif 000010
【図９】
2005033721.tif 000011
【図１０】
2005033721.tif 000012
【図１１】
2005033721.tif 000013
【図１２】
2005033721.tif 000014
【図１３】
2005033721.tif 000015
【図１４】
2005033721.tif 000016
【図１５】
2005033721.tif 000017
【図１６】
2005033721.tif 000018